(57)【要約】【解決手段】化学蒸着（ＣＶＤ）ツールは、基板台座と基板との間のアーク発生を抑制または完全に排除する。ＣＶＤツールは、処理チャンバ内に設けられた基板台座を処理チャンバ内でプラズマにより生成されたものと同じ、またはほぼ同じ直流（ＤＣ）バイアス電圧に維持するように配置されたＤＣバイアス制御システムを備える。プラズマと同じ電位を有する基板台座および基板を同じまたはほぼ同じ電圧電位に維持することで、アーク発生が抑制されるまたは完全に排除される。【選択図】図３
2021533273.tif 000002
【特許請求の範囲】
【請求項１】
化学蒸着（ＣＶＤ）ツールであって、
処理チャンバと、
前記処理チャンバ内で基板を支持するための基板台座と、
前記処理チャンバ内に設置されたシャワーヘッドであって、高周波（ＲＦ）電位に応えて前記処理チャンバ内でプラズマに変化するガスを分注するように配置され、前記プラズマはＤＣバイアス電圧を生成する、シャワーヘッドと、
直流（ＤＣ）バイアス制御システムであって、前記処理チャンバ内で前記プラズマにより生成された前記ＤＣバイアス電圧と同じ、またはほぼ同じＤＣバイアス電圧に前記基板台座を維持するように配置されている、ＤＣバイアス制御システムと、
を備える、ＣＶＤツール。
【請求項２】
請求項１に記載のＣＶＤツールであって、
前記ＤＣバイアス制御システムは、さらに、前記プラズマにより生成された前記ＤＣバイアス電圧が変化するに伴って、前記基板台座の前記ＤＣバイアス電圧を調節するように配置されている、ＣＶＤツール。
【請求項３】
請求項２に記載のＣＶＤツールであって、
前記ＤＣバイアス制御システムは、
前記プラズマと接地電極との間の電流路に沿って電流を測定することと、
前記測定された電流をゼロまたは一定の所定値に維持することで前記基板台座の前記ＤＣバイアス電圧を調節することと、
により前記基板台座の前記ＤＣバイアス電圧を調節する、ＣＶＤツール。
【請求項４】
請求項３に記載のＣＶＤツールであって、
前記ＤＣバイアス制御システムは、さらに、前記基板の処理の開始時における設定点として前記測定された電流を用い、前記基板の次の処理の間に前記基板台座の前記ＤＣバイアス電圧を調節するように配置されている、ＣＶＤツール。
【請求項５】
請求項４に記載のＣＶＤツールであって、
前記プラズマと前記電極との間の前記電流路は、
（ａ）前記基板台座に支持された前記基板、
（ｂ）前記基板上に形成されたあらゆる薄膜、
（ｃ）前記基板台座上に設けられた電極、
（ｄ）前記基板台座に接続された電源、および
（ｅ）前記基板台座、
のうちの１つまたは複数を含む、ＣＶＤツール。
【請求項６】
請求項４に記載のＣＶＤツールであって、
前記抵抗値は、
（ａ）前記基板、
（ｂ）前記基板上に形成されたあらゆる薄膜、
（ｃ）前記基板台座上に設けられた電極、および
（ｄ）前記基板台座に接続された電源、
のうちの１つまたは複数の抵抗から算出される、ＣＶＤツール。
【請求項７】
請求項１に記載のＣＶＤツールであって、
前記基板台座は、対向クランプ電位に維持された第１の電極および第２の電極を備える静電チャック（ＥＳＣ）型基板台座であって、前記対向クランプ電位は、前記処理チャンバ内で前記プラズマにより生成されたものと同じ、またはほぼ同じＤＣバイアス電圧で調節される、ＣＶＤツール。
【請求項８】
請求項１に記載のＣＶＤツールであって、
前記基板台座は、前記処理チャンバ内の前記プラズマに前記ＲＦ電位を提供するためのＲＦ電極を備える、ＣＶＤツール。
【請求項９】
請求項８に記載のＣＶＤツールであって、
前記ＲＦ電極は、前記処理チャンバ内で前記プラズマにより生成されたものと同じ、またはほぼ同じＤＣバイアス電圧で調節される、ＣＶＤツール。
【請求項１０】
請求項１に記載のＣＶＤツールであって、
前記ＤＣバイアス制御システムは、
前記プラズマと電極との間の電流を測定するための電流測定装置と、
前記電流測定装置に応えて前記基板台座に設けられた電極へのＤＣバイアス電圧を制御するための制御電源と、
を備える、ＣＶＤツール。
【請求項１１】
請求項７に記載のＣＶＤツールであって、
前記基板台座に設けられた前記電極は、前記基板台座に前記基板を静電気的にクランプするために用いられる正電極および負電極である、ＣＶＤツール。
【請求項１２】
請求項１に記載のＣＶＤツールであって、
前記処理チャンバは、さらに２つ以上の基板台座を備える、ＣＶＤツール。
【請求項１３】
請求項１４に記載のＣＶＤツールであって、
前記ＤＣバイアス制御システムは、さらに、前記２つ以上の基板台座を前記処理チャンバ内の前記プラズマと同じ、またはほぼ同じＤＣバイアス電圧に維持するように配置されている、ＣＶＤツール。
【請求項１４】
請求項１に記載のＣＶＤツールであって、
ほぼ同じとは、前記プラズマにより生成された前記ＤＣバイアス電圧および前記基板台座が１０．０ボルト以下の電圧差を有することを意味する、ＣＶＤツール。
【請求項１５】
請求項１に記載のＣＶＤツールであって、
ほぼ同じとは、前記プラズマにより生成された前記ＤＣバイアス電圧および前記基板台座が０．１ボルト以下の電圧差を有することを意味する、ＣＶＤツール。
【請求項１６】
化学蒸着（ＣＶＤ）ツールであって、
処理チャンバに設けられた基板台座を、前記処理チャンバ内のプラズマにより生成されたものと同じまたはほぼ同じ直流（ＤＣ）バイアス電圧に維持するように配置されたＤＣバイアス制御システムを備える、ＣＶＤツール。
【請求項１７】
請求項１６に記載のＣＶＤツールであって、
前記基板台座は、前記基板台座に基板をクランプするための逆極性の静電クランプ（ＥＳＣ）電極を備え、前記ＤＣバイアス電圧は、逆極性の前記ＥＳＣ電極に印加される、ＣＶＤツール。
【請求項１８】
請求項１６に記載のＣＶＤツールであって、
前記ＤＣバイアス制御システムは、前記プラズマにより生成された前記ＤＣバイアス電圧が前記処理チャンバ内で変化するに伴って前記ＤＣバイアス電圧を調節する、ＣＶＤツール。
【請求項１９】
請求項１６に記載のＣＶＤツールであって、
前記ＤＣバイアス制御システムは、
前記プラズマと電極との間の電流を測定するための電流測定装置と、
前記基板台座に設けられた電極にＤＣバイアスオフセットを印加するためのＥＳＣ電源であって、前記ＤＣバイアスオフセットは前記測定された電流と釣り合う、ＣＶＤツール。
【請求項２０】
請求項１９に記載のＣＶＤツールであって、
前記プラズマと前記電極との間の前記電流の電流路は、
（ａ）前記基板台座に支持された基板、
（ｂ）前記基板上に形成されたあらゆる薄膜、
（ｃ）前記基板台座上に設けられた電極、
（ｄ）前記基板台座に接続された電源、および
（ｅ）前記基板台座、
のうちの１つまたは複数を含む、ＣＶＤツール。
【請求項２１】
請求項１９に記載のＣＶＤツールであって、
前記抵抗値は、
（ａ）基板、
（ｂ）前記基板上に形成されたあらゆる薄膜、
（ｃ）前記基板台座上に設けられた電極、および
（ｄ）前記基板台座に接続された電源、
のうちの１つまたは複数の抵抗から算出される、ＣＶＤツール。
【請求項２２】
請求項２１に記載のＣＶＤツールであって、
ほぼ同じとは、前記プラズマにより生成された前記ＤＣバイアス電圧および前記基板台座が１０．０ボルト以下の電圧差を有することを意味する、ＣＶＤツール。
【請求項２３】
請求項２１に記載のＣＶＤツールであって、
ほぼ同じとは、前記プラズマにより生成された前記ＤＣバイアス電圧および前記基板台座が０．１ボルト以下の電圧差を有することを意味する、ＣＶＤツール。
【発明の詳細な説明】
【技術分野】
【０００１】
関連出願の相互参照
本願は、全ての目的のために参照として本明細書に援用される、２０１８年８月７日出願の米国出願第１６／０５７，３８３号の優先権の利益を主張する。
【背景技術】
【０００２】
プラズマ励起化学蒸着（ＰＥＣＶＤ）ツールは、基板上に薄膜を形成するために用いられる。ＣＶＤツールは通常、処理チャンバ、処理チャンバ内で基板を支持するための基板台座、およびシャワーヘッドを備える。動作中にシャワーヘッドは、処理される基板の表面上方に反応ガスを分配する。プラズマを生成するために、通常シャワーヘッドおよび／または基板台座に設けられる２つの電極の間に高周波（ＲＦ）電位が印加される。通電された電子はプラズマから反応ガスを分離または解離（例えば、「分裂」）させ、化学反応性ラジカルを生成する。これらのラジカルは、反応するにつれて基板上に堆積し、薄膜を形成する。
【０００３】
アーキングは、異なる電位の２つの表面の間の隙間に提供される通常では非導電性ガスの絶縁破壊により生じる、広く知られた電気現象である。アーキングが発生すると、非導電性ガスは絶縁破壊し、強電流または放電が短時間に２つの表面の間の隙間を飛び越える。
【０００４】
ＰＥＣＶＤツールにとって、アーキングは大きな問題となる。通常、基板と台座との間には電気抵抗材料（例えば、誘電膜）が設けられる。ツールの動作中に、処理チャンバ内のプラズマおよび基板は本質的に、ＲＦ電位が印加されたときに直流（ＤＣ）バイアス電圧を生成する。その結果、抵抗材料により基板と基板台座との間には非ゼロのＤＣ電圧が存在する。
【０００５】
ＤＣ電圧の差が特定の閾値を超えた場合は、基板と基板台座との間のガスで絶縁破壊が起こる可能性がある。基板上に薄膜が形成されるにつれて、ＤＣバイアス電圧の大きさは大きくなる傾向がある。その結果、絶縁破壊の可能性が大幅に高まる。特定の種類の基板（半導体ウエハなど）では、放電またはアーキングの突然のバーストは繊細な電気回路を破壊しうる。半導体ウエハ上の電気回路の破壊は歩留まりを減少させ、大幅な製造ロスおよびコストの増加をもたらす可能性がある。
【０００６】
よって、基板と基板台座との間のアーク発生を抑制または完全に排除するＣＶＤツールが必要である。
【発明の概要】
【０００７】
基板台座と基板との間のアーク発生を抑制または完全に排除する化学蒸着（ＣＶＤ）ツールが開示される。このツールは、処理チャンバ、処理チャンバ内で基板を支持するための基板台座、および処理チャンバ内に設置されたシャワーヘッドを備える。シャワーヘッドは、高周波（ＲＦ）電位に応えてＤＣバイアス電圧を生成するプラズマに変化するガスを分注するように配置されている。このツールは、プラズマによって生成されたＤＣバイアス電圧と同じ、またはほぼ同じＤＣバイアス電圧に基板台座を維持するように配置された直流（ＤＣ）バイアス制御システムも備える。
【０００８】
非排他的な実施形態では、ＤＣバイアス制御システムは、プラズマと基板台座との間のＤＣ電流を測定し、アースと基板との間の抵抗が一定に保たれるときにＤＣ電流を一定に維持することで基板台座のＤＣバイアス電圧を調節する。
【０００９】
別の非排他的な実施形態では、ＤＣバイアス制御システムはさらに、基板処理の開始時点のＤＣ電流を測定し、次にＤＣバイアス電圧を調節して、抵抗のドリフトを補償するために残りの基板処理について測定されたＤＣ電流を維持するように配置されている。
【００１０】
様々な非排他的な実施形態では、プラズマと電極との間の電流路は、（ａ）基板台座に支持された基板、（ｂ）基板上で形成された薄膜、（ｃ）基板台座、および（ｄ）基板台座に接続された電源、のうちの１または複数を含む。抵抗は、（ｆ）基板、（ｇ）基板上に形成された薄膜、（ｈ）基板台座、および（ｉ）基板台座に接続された電源システムの抵抗成分、のうちの１または複数で構成される。
【図面の簡単な説明】
【００１１】
本願およびその利点は、添付の図面と共に記載された以下の説明を参照して十分に理解されるだろう。
【００１２】
【図１】本発明の非排他的な実施形態による化学蒸着（ＣＶＤ）チャンバのブロック図。
【００１３】
【図２Ａ】本発明の非排他的な実施形態による基板台座の上面図。
【図２Ｂ】本発明の非排他的な実施形態による基板台座の断面図。
【００１４】
【図３】本発明の非排他的な実施形態によりアーク発生がどのように抑制または防止されるかを表す図。
【００１５】
【図４】ツールにおいてプラズマにより生成されたＤＣバイアス電圧の予測不可能性を経時的に表すプロット。
【００１６】
【図５】本発明による基板台座のためのアクティブなＤＣバイアス制御システムを表すブロック図。
【００１７】
【図６】本発明の非排他的な実施形態による複数の基板台座を有するＣＶＤチャンバの図。
【００１８】
【図７】本発明の非排他的な実施形態によるＣＶＤツールを制御するために用いられるシステムコントローラのブロック図。
【００１９】
図面では、類似の構造要素を示すために類似の参照番号が用いられることがある。図中の描写は図形的表示であり、必ずしも一定の比率で縮小されていないことも理解されたい。
【発明を実施するための形態】
【００２０】
ここで本願は、添付の図面に表されたいくつかの非排他的な実施形態を参照して詳細に説明される。以下の説明では、本開示の十分な理解を提供するために多くの特定の詳細が記載される。しかし、本開示がこれらの特定の詳細の一部または全てなしで実施されてよいことは当業者には明らかだろう。他の例では、本開示を必要以上に分かりにくくしないように、周知のプロセス工程および／または構造は詳細には説明されていない。
【００２１】
図１を参照すると、化学蒸着（ＣＶＤ）ツール１０のブロック図が示されている。ツール１０は、処理チャンバ１２、シャワーヘッド１４、処理される基板１８を位置決めするための基板台座１６、高周波（ＲＦ）源発生器２０、ガス源２２、システムコントローラ２４、ならびに、基板台座１６および直流（ＤＣ）バイアス制御システム２８に接続されたＥＳＣ電源２６を備える。様々な実施形態では、ＣＶＤツールは、プラズマ励起化学蒸着（ＰＥＣＶＤ）ツール、プラズマ励起原子層堆積（ＰＥＡＬＤ）ツール、またはプラズマを用いる他の種類のＣＶＤツールであってよい。
【００２２】
動作中に反応ガスは、ガス源２２からシャワーヘッド１４を通って処理チャンバ１２に供給される。ガスは、シャワーヘッド１４内部で１または複数のプレナム（図示せず）を介して、チャンバ１２内部の基板１８の表面上方の領域に分配される。ＲＦ発生器２０によって生成されたＲＦ電位は、基板台座１６の上の１または複数の電極（非表示）に印加される。ＲＦ電位はガスをイオン化し、処理チャンバ１２の内部でプラズマを発生させる。プラズマ内で通電された電子は反応ガスから解離（すなわち、「分裂」）し、化学反応性ラジカルを生成する。それらのラジカルは反応するにつれて基板１８上に堆積し、薄膜を形成する。
【００２３】
様々な実施形態では、ＲＦ発生器２０は、高周波、中周波、および／もしくは、低周波を生成できる単一のＲＦ発生器または複数のＲＦ発生器であってよい。例えば高周波の場合では、ＲＦ発生器２０は２〜１００ＭＨｚの範囲の周波数を生成してよく、好ましくは１３．５６ＭＨｚまたは２７ＭＨｚの周波数を生成してよい。低周波が生成されるときは、この範囲は５０ＫＨｚから２ＭＨｚであり、３５０ＫＨｚから６００ＫＨｚであることが好ましい。別の実施形態では、ＲＦ源は、基板台座１６ではなくシャワーヘッド１４に、またはシャワーヘッド１４および基板台座１６の両方に設けられたＲＦ電極に接続されてよい。
【００２４】
システムコントローラ２４は、一般にＣＶＤツール１０の動作全般を制御し、堆積中、堆積後、および／または、他の処理動作のプロセス条件を管理するのに用いられる。
【００２５】
非排他的な実施形態では、基板台座１６は静電チャック（ＥＳＣ）型基板台座である。ＥＳＣ電源２６は、基板１８をクランプするのに必要な静電力を生成するのに十分な大きさの対向電圧を、基板台座１６のクランプ面に埋め込まれた電極（図１には図示せず）に供給するために設けられている。
【００２６】
反応ガスと共にＲＦ電位が処理チャンバ１２に印加されると、プラズマが発生する。ＲＦ電位に応えて、プラズマは通常０から−１００ボルトの範囲のＤＣバイアスを生成する。基板１８がプラズマに暴露されると、基板はプラズマと同じまたはほぼ同じＤＣバイアス電圧を生成する。通常、基板台座１６は異なる電圧で維持されることが多い。基板台座１６と基板１８との間の電圧差は、アーク発生の影響を受けやすい。
【００２７】
ＤＣバイアス制御システム２８は、プラズマおよび基板１８によって生成されたものと同じまたはほぼ同じＤＣバイアス電圧に基板台座１６を維持するように設けられている。よって、基板台座１６と基板１８との間の電圧差はゼロまたはゼロに近い。その結果、基板台座１６と基板１８との間のアーク発生は抑制される、または完全に排除される。
【００２８】
図２Ａおよび図２Ｂを参照すると、基板台座１６の非排他的な実施形態の上面図および断面図が示されている。この特定の実施形態では、基板台座１６の本体部２９は、窒化アルミニウムなどの非導電性セラミック材料で作られている。基板１８をクランプするための静電チャック（ＥＳＣ）面３０は、基板台座１６に埋め込まれている。
【００２９】
図２Ａに詳しく示されているように、電極３０は基板台座１６に埋め込まれ、１対の「Ｄ字形」ＥＳＣクランプ電極３２Ａおよび電極３２Ｂを備える。クランプ中に、２つの電極３２Ａおよび電極３２Ｂにはそれぞれ逆極性の電圧（例えば、＋／−５００ボルト）が提供される。結果として生じた静電力は、基板台座１６のクランプ面３０に基板１８をクランプする。
【００３０】
基板台座１６は、上面３０に埋め込まれた、その周囲およびその中央を通って設けられたＲＦ電極３４も備える。電極３２Ａ、電極３２Ｂ、および電極３４はＲＦ源２０に接続され、処理チャンバ１２に供給された反応ガスをイオン化するのに必要なＲＦ電位を提供し、プラズマを生成するように配置されている。図２Ｂに詳しく示されているように、断面はＥＳＣクランプ電極３２Ａおよび電極３２Ｂを示し、ＲＦ電極３２Ａ、ＲＦ電極３２Ｂ、およびＲＦ電極３４は基板台座１６の本体部２９に埋め込まれている。
【００３１】
アーク発生を抑制または防止するために、ＤＣバイアス制御システム２６は、左右の電極３２Ａおよび電極３２Ｂにバイアス電圧を提供する。例えば、＋／−５００ボルトのＥＳＣクランプ電圧が電極３２Ａおよび電極３２Ｂにそれぞれ印加されたとする。処理チャンバ１２内部のプラズマが−１０ボルトのバイアスを生成した場合、同じまたは類似の大きさのバイアス電圧ＶDCが電極３２Ａおよび電極３２Ｂに印加される。つまり、電極３２Ａは４９０ボルト（５００−１０）に維持され、電極３２Ｂは−５１０ボルト（−５００−１０）に維持される。別の非排他的な実施形態では、同じバイアス電圧ＶDC（例えば、−１０Ｖ）が電極３４にも印加されうる。
【００３２】
２つの電極３２Ａと電極３２Ｂとの間の電圧差が同じままであるため、バイアス電圧ＶDCはＥＳＣクランプ力に影響しない。しかし、基板台座１６と基板１８との間の電圧差はゼロまたは極めてゼロ近くまで減少し、アーク発生を抑制または完全に排除する。
【００３３】
図３を参照すると、アーク発生がどのように防止または抑制されるかを示す図が示されている。シャワーヘッド１４は、処理チャンバ１２に１または複数の反応ガスを導入する。基板台座１６に埋め込まれた電極３４によって提供されるＲＦ電位は、反応ガスのイオン化をもたらし、プラズマを生成する。
【００３４】
この特定の例では、金属層または導電性炭素層などの導電性薄膜３６が誘電層３８の上に堆積される。堆積時に、層または膜３６および３８は、基板１８の上面および基板台座１６の周囲部分の両方の上に形成される。導電性層３６が形成されるにつれて、文字「ｅ」で示された負の表面電荷が基板１８の表面に堆積する。
【００３５】
プラズマによって生成されたＤＣバイアス電圧と同じＤＣバイアス電圧「ＶDC」は、基板台座１６の電極３２Ａおよび電極３２Ｂ（図示せず）に印加される。基板１８と基板台座１６との間の電圧差は同じまたはほぼ同じであるため、基板１８上の表面電荷「ｅ」は基板台座１６に吸着されない。その結果、特にアーク発生に最も影響を受けやすい場所になる傾向がある楕円４０で示された領域において、アーク発生が抑制されるまたは完全に排除される。
【００３６】
処理チャンバ１２における基板１８の処理の間に、プラズマによって生成されたＤＣバイアス電圧は時間とともに予想外に変化する傾向がある。例えば、半導体ウエハ上への導電性（例えば、炭素）層の堆積中に、プラズマは導電性層を電極と「みなす」。長期間の堆積にわたって、時間とともにウエハおよび基板台座１６の周囲上面の両方の上に層がより広くより厚く成長する傾向がある。この成長の結果、プラズマは広がる傾向があり、プラズマによって生成されたＤＣバイアス電圧を変化させる。しかし、プラズマによって生成されたＤＣバイアス電圧は通常、直線的ではない。結果的に、プラズマの生成ＤＣバイアス電圧が経時的にどのように変化するかを予測することは非常に難しい。
【００３７】
図４は、堆積中にＣＶＤツールにおいてプラズマにより生成されたＤＣバイアス電圧の予測不可能性を表す例示的プロットである。プロットは、ＤＣバイアス電圧が時間とともに減少（例えば、約−５．０ボルトから約−２０．０ボルト）する傾向があることを示す。しかし、この減少は直線的ではない。よってプロットは、固定バイアス電圧ＶDCが電極３２Ａ、電極３２Ｂ、および／または電極３４に印加された場合は、プラズマのＤＣバイアス電圧が変化するにつれて基板１８と基板台座１６との間に時には電圧差が存在してよいことを示す。電圧差が存在するときは必ず、基板１８はアーク発生の影響を受けやすい。図のプロットは単に例示のためであり、ＤＣバイアス電圧減の非直線性を示すために提供されている。実際の実施形態ではプロットは大きく変化するが、通常はＤＣバイアス電圧の減少を示すことを理解されたい。
【００３８】
非ゼロの電圧差が存在するときは、プラズマと接地電極との間の有限抵抗のためＤＣ電流はその間で流れる。プラズマと電極との間の電流路は、（ａ）基板台座１６に支持された基板１８、（ｂ）基板１８に形成された薄膜、（ｃ）基板台座１６に設けられた電極３２Ａ、電極３２Ｂ、および電極３４、（ｄ）基板台座１６に接続された電源２６、ならびに（ｅ）基板台座１６、のうちの１つまたは複数を含む。
【００３９】
抵抗は、上述の電流路に設けられた（ａ）基板１８、（ｂ）基板１８に形成された薄膜、（ｃ）基板台座１６に設けられた電極３２Ａ、電極３２Ｂ、および電極３４、ならびに、基板台座１６に接続された電源２６、のうちの１つまたは複数で構成される。
【００４０】
処理チャンバ１２内部の状態が変化するにつれて、プラズマのＤＣバイアス電圧は上記のように変化する。抵抗が固定されたときは、測定された電流の変化はプラズマのＤＣバイアス電圧の変化を示すだろう。その結果、ΔＶDCの値の変化は、プラズマによって生成されたＤＣバイアス電圧の経時的な変化に比例する。継続的にΔＶDCを測定し、電極３２Ａ、電極３２Ｂ、および／または電極３４に印加することにより、基板台座のＤＣバイアス電圧は、処理条件の変化に伴うプラズマおよび基板によって生成されたＤＣバイアスを実質的に追跡することができる。つまり、基板台座１６と基板１８との間の電圧差は、処理チャンバ１２の状態が変化しながらゼロまたはゼロ近くに留まる。
【００４１】
図５を参照すると、ＤＣバイアス制御システム２８のブロック図が示されている。システム２８は、電流測定装置５０およびＥＳＣ電源２６を備える。電流測定装置５０は、プラズマと接地電極との間の電流のサンプルを測定する。ＤＣ電源５２は、一定の電流を維持するためにＥＳＣ電源２６を介して電極３２Ａ、電極３２Ｂ、および／または電極３４に印加されたバイアス電圧を調節する。一定の電流を維持することにより、基板１８と基板台座との間の電圧差はゼロまたはゼロ近くに留まる。
【００４２】
様々な実施形態では、電流サンプルを測定するための所定のサンプリングレートは大きく異なってよい。例えば、サンプリングレートは１マイクロ秒から１０秒までのいずれかの範囲でありうる。一般に、サンプリングレートが高いほど、プラズマによって生成された実際のＤＣバイアスの変化を追跡するためにより正確にバイアス電圧が調節されうる。その結果、より高レベルのアーク発生抑制が実現される可能性が高い。
【００４３】
上記に基づいて、アーク発生を抑制または完全に防止するいくつかの方法がある。例えば、
・基板１８と基板台座１６との間の電圧を一定（ゼロボルトまたはゼロボルト近く）に維持することで、アーク発生は排除されうるまたは大幅に制限されうる。しかし、時間とともにプラズマのＤＣバイアス電圧は変化するため、台座と基板との間の電圧差は増加する可能性がある。その結果、アーク発生の可能性も増加するだろう。
・フィードバックループを用いてサンプル電流を測定し、ＥＳＣ電源２６を介して電極３２Ａ、電極３２Ｂ、および／または電極３４に印加されるバイアス電圧を調節するようにＤＣバイアス供給部５２を制御することで、測定された電流は事前定義された一定の値に維持されうる。この方法はプラズマのＤＣバイアス電圧が時間とともに変化しても有効的であるが、抵抗が変化する場合は影響を受けやすい。例えば、抵抗が基板ごとに、または基板に層が追加されるにつれて変化する場合は、アーク発生の可能性が増加するだろう。
・電流を１回測定し、それを各基板の設定点として用いる。その後、上述のフィードバックループが用いられて、電極３２Ａ、電極３２Ｂ、および／または電極３４に印加されたバイアス電圧が調節される。次の基板については設定点が再び測定され、それに応じてバイアス電圧が調節される。システムにおけるドリフトを補償するために、各基板の電流を測定することで設定点が更新される。この手法により、時間とともにプラズマのＤＣバイアスが変化しても、および／または、チャンバ１２の状態が変化しても、アーク発生の可能性は大幅に抑制される。
【００４４】
ＤＣ電流を測定し、基板台座１６の電極３２Ａ、電極３２Ｂ、および／または電極３４へのＤＣバイアス電圧を調節して印加する能力は、多くの利点をもたらす。第１に、基板台座１６と基板１８との間の電圧差は、基板１８がチャンバ１２で処理される間、ゼロまたはゼロ近くに留まる。第２に、１つの基板１８が処理のために別の基板に交換されたときに、電流が測定され、処理チャンバ１２内部の電流条件と一致するようにＤＣバイアス電圧が調節される。第３に、ＤＣバイアス制御システム２８は、ツール１０および／または処理チャンバ１２に関係なくＤＣバイアス電圧を調節する能力を有する。従ってＤＣバイアス制御システム２８は、１つのツールから次のツールにどれだけ条件が変化しようともＤＣバイアス電圧を調節する能力を有するため、１つのＣＶＤツール１０から次のＣＶＤツール、または１つの処理チャンバ１２から次の処理チャンバへの変更は問題ではない。
【００４５】
図６を参照すると、複数の基板台座１６を有するＣＶＤチャンバ１２の図が示されている。この特定の実施形態では、ＣＶＤツール１０は、処理チャンバ１２に基板台座１６Ａ〜１６Ｄの４つの基板台座を有するため「クワッド」ツールと呼ばれる。よって、ＤＣバイアス制御システム２８はＡ〜Ｄの４つのバイアス電圧ΔＶDC（＋／−）を提供し、各々は上述のように４つの基板台座１６Ａ〜１６Ｄについてそれぞれ計算される。図のクワッドツール１０は単なる例示であり、限定的と解釈されるべきでないことを理解されたい。アーク発生を抑制または排除するためのシステムは、任意の数の基板台座を有するＣＶＤツールで用いられてよい。
【００４６】
図７は、システムコントローラ２４を示す高レベルブロック図である。コンピュータシステム２４は、集積回路からプリント回路基板、小型ハンドヘルドデバイス、パーソナルコンピュータ、サーバ、スーパーコンピュータに至る多くの物理的形態を有してよく、それらのいずれも１または複数のプロセッサを有してよい。コンピュータシステム２４はさらに、電子表示装置８０４（画像、文章、および他のデータの表示用）、非一時的メインメモリ８０６（例えば、ランダムアクセスメモリ（ＲＡＭ））、記憶装置８０８（例えば、ハードディスクドライブ）、リムーバブル記憶装置８１０（例えば、光ディスクドライブ）、ユーザインタフェース装置８１２（例えば、キーボード、タッチ画面、キーパッド、マウス、または他のポインティング装置）、ならびに、通信インタフェース８１４（例えば、無線ネットワークインタフェース）を含みうる。通信インタフェース８１４は、リンクを介してシステムコントローラ２４と外部装置との間でソフトウェアおよびデータが転送されることを可能にする。システムコントローラ２４は、前述の装置／モジュールが接続される通信インフラ８１６（例えば、通信バス、クロスオーバーバー、またはネットワーク）を含んでもよい。
【００４７】
「非一時的コンピュータ可読媒体」との用語は、一般にメインメモリ、二次メモリ、リムーバブルメモリ、ならびに記憶装置（ハードディスク、フラッシュメモリ、ディスクドライブメモリ、ＣＤ−ＲＯＭ、および他の形態の永続メモリ）を指すのに用いられ、搬送波またはキャリア信号などの一時的対象を含むと解釈されるべきではない。
【００４８】
特定の実施形態では、システムソフトウェアまたはシステムコードを作動させるまたは実行するシステムコントローラ２４は、ツール１０の全てまたは少なくともほとんどの動作（例えば、処理動作のタイミング、ＲＦ発生器２０の動作の周波数および電力、処理チャンバ１２内部の圧力、処理チャンバ１２へのガスの流量、濃度、および温度、それらの相対的混合、基板ホルダ１６に支持される基板１８の温度、を制御する動作）を制御する。
【００４９】
通信インタフェース８１４を介して転送される情報は、電子、電磁気、光などの形態の信号、または、信号を伝送する通信リンクを介して通信インタフェース８１４に受信されうる他の信号であってよく、配線もしくはケーブル、光ファイバ、電話線、携帯電話リンク、無線周波数リンク、および／または、他の通信回路を用いて実施されてよい。かかる通信インタフェースを用いて、１または複数のプロセッサ８０２がネットワークから情報を受信する、または、ネットワークに情報を出力することが予期される。さらに方法の実施形態は、処理の一部を共有するリモートプロセッサと協働して、プロセッサのみに実行されてよい、または、インターネットなどのネットワークを通じて実行されてよい。
【００５０】
本明細書に記載の実施形態は単なる例示であり、いずれにも限定的と解釈されるべきでないことを理解されたい。一般に本願は、２つの螺旋状パターンを規定する少なくとも２セットの穴、および、その２つのパターンのための２つのプレナムを有するシャワーヘッドを含むことを意図している。
【００５１】
いくつかの実施形態のみが詳細に説明されたが、本願は本明細書に記載の開示の精神または範囲を逸脱することなく多くの他の形態で実施されてよいことを理解されたい。例えば、基板は、半導体ウエハ、ディスクリート半導体デバイス、フラットパネルディスプレイ、または他の種類のワークピースでありうる。
【００５２】
よって、本実施形態は例示のためであり制限的と見なされるべきでなく、本明細書に記載の詳細に限定されるべきではないが、添付の特許請求の範囲およびその同等物の範囲内で変更されてよい。
【図１】
2021533273.tif 000003
【図２Ａ】
2021533273.tif 000004
【図２Ｂ】
2021533273.tif 000005
【図３】
2021533273.tif 000006
【図４】
2021533273.tif 000007
【図５】
2021533273.tif 000008
【図６】
2021533273.tif 000009
【図７】
2021533273.tif 000010
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
化学蒸着（ＣＶＤ）ツールであって、
処理チャンバと、
前記処理チャンバ内で基板を支持するための基板台座と、
前記処理チャンバ内に設置されたシャワーヘッドであって、高周波（ＲＦ）電位に応えて前記処理チャンバ内でプラズマに変化するガスを分注するように配置され、前記プラズマはＤＣバイアス電圧を生成する、シャワーヘッドと、
直流（ＤＣ）バイアス制御システムであって、前記処理チャンバ内で前記プラズマにより生成された前記ＤＣバイアス電圧と同じ、またはほぼ同じＤＣバイアス電圧に前記基板台座を維持するように配置されている、ＤＣバイアス制御システムと、
を備える、ＣＶＤツール。
【請求項２】
請求項１に記載のＣＶＤツールであって、
前記ＤＣバイアス制御システムは、さらに、前記プラズマにより生成された前記ＤＣバイアス電圧が変化するに伴って、前記基板台座の前記ＤＣバイアス電圧を調節するように配置されている、ＣＶＤツール。
【請求項３】
請求項２に記載のＣＶＤツールであって、
前記ＤＣバイアス制御システムは、
前記プラズマと電極との間の電流路に沿って電流を測定することと、
前記測定された電流がゼロまたは一定の所定値に維持されるように前記基板台座の前記ＤＣバイアス電圧を調節することと、
により前記基板台座の前記ＤＣバイアス電圧を調節する、ＣＶＤツール。
【請求項４】
請求項３に記載のＣＶＤツールであって、
前記ＤＣバイアス制御システムは、さらに、前記基板の処理の開始時における設定点として前記測定された電流を用い、前記基板の次の処理の間に前記基板台座の前記ＤＣバイアス電圧を調節するように配置されている、ＣＶＤツール。
【請求項５】
請求項３に記載のＣＶＤツールであって、
前記プラズマと前記電極との間の前記電流路は、
（ａ）前記基板台座に支持された前記基板、
（ｂ）前記基板上に形成されたあらゆる薄膜、
（ｃ）前記基板台座上に設けられた電極、
（ｄ）前記基板台座に接続された電源、および
（ｅ）前記基板台座、
のうちの１つまたは複数を含む、ＣＶＤツール。
【請求項６】
請求項３に記載のＣＶＤツールであって、
前記電流路に沿った抵抗値は、
（ａ）前記基板、
（ｂ）前記基板上に形成されたあらゆる薄膜、
（ｃ）前記基板台座上に設けられた電極、および
（ｄ）前記基板台座に接続された電源、
のうちの１つまたは複数から算出される、ＣＶＤツール。
【請求項７】
請求項１に記載のＣＶＤツールであって、
前記基板台座は、対向クランプ電位に維持された第１の電極および第２の電極を備える静電チャック（ＥＳＣ）型基板台座であって、前記対向クランプ電位は、前記処理チャンバ内で前記プラズマにより生成されたものと同じ、またはほぼ同じＤＣバイアス電圧で調節される、ＣＶＤツール。
【請求項８】
請求項１に記載のＣＶＤツールであって、
前記基板台座は、前記処理チャンバ内の前記プラズマに前記ＲＦ電位を提供するためのＲＦ電極を備える、ＣＶＤツール。
【請求項９】
請求項８に記載のＣＶＤツールであって、
前記ＲＦ電極は、前記処理チャンバ内で前記プラズマにより生成されたものと同じ、またはほぼ同じＤＣバイアス電圧で調節される、ＣＶＤツール。
【請求項１０】
請求項１に記載のＣＶＤツールであって、
前記ＤＣバイアス制御システムは、
前記プラズマと電極との間の電流を測定するための電流測定装置と、
前記電流測定装置に応えて前記基板台座に設けられた電極に印加された制御されたＤＣバイアス電圧を生成するための制御された電源であって、前記制御されたＤＣバイアス電圧は、前記処理チャンバ内の前記プラズマにより生成された前記ＤＣバイアス電圧と同じ、またはほぼ同じＤＣバイアス電圧に前記基板台座を維持する、制御電源と、
を備える、ＣＶＤツール。
【請求項１１】
請求項７に記載のＣＶＤツールであって、
前記基板台座に設けられた前記第１の電極および前記第２の電極は、前記基板台座に前記基板を静電気的にクランプするために用いられる正電極および負電極である、ＣＶＤツール。
【請求項１２】
請求項１に記載のＣＶＤツールであって、
前記処理チャンバは、さらに２つ以上の基板台座を備える、ＣＶＤツール。
【請求項１３】
請求項１４に記載のＣＶＤツールであって、
前記ＤＣバイアス制御システムは、さらに、前記２つ以上の基板台座を前記処理チャンバ内の前記プラズマと同じ、またはほぼ同じＤＣバイアス電圧に維持するように配置されている、ＣＶＤツール。
【請求項１４】
請求項１に記載のＣＶＤツールであって、
ほぼ同じとは、前記プラズマにより生成された前記ＤＣバイアス電圧および前記基板台座が１０．０ボルト以下の電圧差を有することを意味する、ＣＶＤツール。
【請求項１５】
請求項１に記載のＣＶＤツールであって、
ほぼ同じとは、前記プラズマにより生成された前記ＤＣバイアス電圧および前記基板台座が０．１ボルト以下の電圧差を有することを意味する、ＣＶＤツール。
【請求項１６】
化学蒸着（ＣＶＤ）ツールであって、
処理チャンバに設けられた基板台座を、前記処理チャンバ内のプラズマにより生成されたものと同じ、またはほぼ同じ直流（ＤＣ）バイアス電圧に維持するように配置されたＤＣバイアス制御システムを備える、ＣＶＤツール。
【請求項１７】
請求項１６に記載のＣＶＤツールであって、
前記基板台座は、前記基板台座に基板をクランプするための逆極性の静電クランプ（ＥＳＣ）電極を備え、前記ＤＣバイアス電圧は、前記ＥＳＣ電極に印加される、ＣＶＤツール。
【請求項１８】
請求項１６に記載のＣＶＤツールであって、
前記ＤＣバイアス制御システムは、前記プラズマにより生成された前記ＤＣバイアス電圧が前記処理チャンバ内で変化するに伴って前記ＤＣバイアス電圧を調節する、ＣＶＤツール。
【請求項１９】
請求項１６に記載のＣＶＤツールであって、
前記ＤＣバイアス制御システムは、
前記プラズマと電極との間の電流を測定するための電流測定装置と、
前記基板台座に設けられた電極にＤＣバイアスオフセットを印加するための電源であって、前記ＤＣバイアスオフセットは前記測定された電流と釣り合う、ＣＶＤツール。
【請求項２０】
請求項１９に記載のＣＶＤツールであって、
前記プラズマと前記電極との間の前記電流の電流路は、
（ａ）前記基板台座に支持された基板、
（ｂ）前記基板上に形成されたあらゆる薄膜、
（ｃ）前記基板台座上に設けられた電極、
（ｄ）前記基板台座に接続された電源、および
（ｅ）前記基板台座、
のうちの１つまたは複数を含む、ＣＶＤツール。
【請求項２１】
請求項１９に記載のＣＶＤツールであって、
前記プラズマと前記電極との間の抵抗値は、
（ａ）基板、
（ｂ）前記基板上に形成されたあらゆる薄膜、
（ｃ）前記基板台座上に設けられた電極、および
（ｄ）前記基板台座に接続された電源、
のうちの１つまたは複数の抵抗から算出される、ＣＶＤツール。
【請求項２２】
請求項１６に記載のＣＶＤツールであって、
ほぼ同じとは、前記プラズマにより生成された前記ＤＣバイアス電圧および前記基板台座が１０．０ボルト以下の電圧差を有することを意味する、ＣＶＤツール。
【請求項２３】
請求項１６に記載のＣＶＤツールであって、
ほぼ同じとは、前記プラズマにより生成された前記ＤＣバイアス電圧および前記基板台座が０．１ボルト以下の電圧差を有することを意味する、ＣＶＤツール。
【手続補正２】
【補正対象書類名】明細書
【補正対象項目名】００３１
【補正方法】変更
【補正の内容】
【００３１】
アーク発生を抑制または防止するために、ＤＣバイアス制御システム２８は、左右の電極３２Ａおよび電極３２Ｂにバイアス電圧を提供する。例えば、＋／−５００ボルトのＥＳＣクランプ電圧が電極３２Ａおよび電極３２Ｂにそれぞれ印加されたとする。処理チャンバ１２内部のプラズマが−１０ボルトのバイアスを生成した場合、同じまたは類似の大きさのバイアス電圧ＶDCが電極３２Ａおよび電極３２Ｂに印加される。つまり、電極３２Ａは４９０ボルト（５００−１０）に維持され、電極３２Ｂは−５１０ボルト（−５００−１０）に維持される。別の非排他的な実施形態では、同じバイアス電圧ＶDC（例えば、−１０Ｖ）が電極３４にも印加されうる。
【手続補正３】
【補正対象書類名】明細書
【補正対象項目名】００５２
【補正方法】変更
【補正の内容】
【００５２】
よって、本実施形態は例示のためであり制限的と見なされるべきでなく、本明細書に記載の詳細に限定されるべきではないが、添付の特許請求の範囲およびその同等物の範囲内で変更されてよい。本開示は、以下の形態によって実現されてもよい。
［形態１］
化学蒸着（ＣＶＤ）ツールであって、
処理チャンバと、
前記処理チャンバ内で基板を支持するための基板台座と、
前記処理チャンバ内に設置されたシャワーヘッドであって、高周波（ＲＦ）電位に応えて前記処理チャンバ内でプラズマに変化するガスを分注するように配置され、前記プラズマはＤＣバイアス電圧を生成する、シャワーヘッドと、
直流（ＤＣ）バイアス制御システムであって、前記処理チャンバ内で前記プラズマにより生成された前記ＤＣバイアス電圧と同じ、またはほぼ同じＤＣバイアス電圧に前記基板台座を維持するように配置されている、ＤＣバイアス制御システムと、
を備える、ＣＶＤツール。
［形態２］
形態１に記載のＣＶＤツールであって、
前記ＤＣバイアス制御システムは、さらに、前記プラズマにより生成された前記ＤＣバイアス電圧が変化するに伴って、前記基板台座の前記ＤＣバイアス電圧を調節するように配置されている、ＣＶＤツール。
［形態３］
形態２に記載のＣＶＤツールであって、
前記ＤＣバイアス制御システムは、
前記プラズマと接地電極との間の電流路に沿って電流を測定することと、
前記測定された電流をゼロまたは一定の所定値に維持することで前記基板台座の前記ＤＣバイアス電圧を調節することと、
により前記基板台座の前記ＤＣバイアス電圧を調節する、ＣＶＤツール。
［形態４］
形態３に記載のＣＶＤツールであって、
前記ＤＣバイアス制御システムは、さらに、前記基板の処理の開始時における設定点として前記測定された電流を用い、前記基板の次の処理の間に前記基板台座の前記ＤＣバイアス電圧を調節するように配置されている、ＣＶＤツール。
［形態５］
形態４に記載のＣＶＤツールであって、
前記プラズマと前記電極との間の前記電流路は、
（ａ）前記基板台座に支持された前記基板、
（ｂ）前記基板上に形成されたあらゆる薄膜、
（ｃ）前記基板台座上に設けられた電極、
（ｄ）前記基板台座に接続された電源、および
（ｅ）前記基板台座、
のうちの１つまたは複数を含む、ＣＶＤツール。
［形態６］
形態４に記載のＣＶＤツールであって、
前記抵抗値は、
（ａ）前記基板、
（ｂ）前記基板上に形成されたあらゆる薄膜、
（ｃ）前記基板台座上に設けられた電極、および
（ｄ）前記基板台座に接続された電源、
のうちの１つまたは複数の抵抗から算出される、ＣＶＤツール。
［形態７］
形態１に記載のＣＶＤツールであって、
前記基板台座は、対向クランプ電位に維持された第１の電極および第２の電極を備える静電チャック（ＥＳＣ）型基板台座であって、前記対向クランプ電位は、前記処理チャンバ内で前記プラズマにより生成されたものと同じ、またはほぼ同じＤＣバイアス電圧で調節される、ＣＶＤツール。
［形態８］
形態１に記載のＣＶＤツールであって、
前記基板台座は、前記処理チャンバ内の前記プラズマに前記ＲＦ電位を提供するためのＲＦ電極を備える、ＣＶＤツール。
［形態９］
形態８に記載のＣＶＤツールであって、
前記ＲＦ電極は、前記処理チャンバ内で前記プラズマにより生成されたものと同じ、またはほぼ同じＤＣバイアス電圧で調節される、ＣＶＤツール。
［形態１０］
形態１に記載のＣＶＤツールであって、
前記ＤＣバイアス制御システムは、
前記プラズマと電極との間の電流を測定するための電流測定装置と、
前記電流測定装置に応えて前記基板台座に設けられた電極へのＤＣバイアス電圧を制御するための制御電源と、
を備える、ＣＶＤツール。
［形態１１］
形態７に記載のＣＶＤツールであって、
前記基板台座に設けられた前記電極は、前記基板台座に前記基板を静電気的にクランプするために用いられる正電極および負電極である、ＣＶＤツール。
［形態１２］
形態１に記載のＣＶＤツールであって、
前記処理チャンバは、さらに２つ以上の基板台座を備える、ＣＶＤツール。
［形態１３］
形態１４に記載のＣＶＤツールであって、
前記ＤＣバイアス制御システムは、さらに、前記２つ以上の基板台座を前記処理チャンバ内の前記プラズマと同じ、またはほぼ同じＤＣバイアス電圧に維持するように配置されている、ＣＶＤツール。
［形態１４］
形態１に記載のＣＶＤツールであって、
ほぼ同じとは、前記プラズマにより生成された前記ＤＣバイアス電圧および前記基板台座が１０．０ボルト以下の電圧差を有することを意味する、ＣＶＤツール。
［形態１５］
形態１に記載のＣＶＤツールであって、
ほぼ同じとは、前記プラズマにより生成された前記ＤＣバイアス電圧および前記基板台座が０．１ボルト以下の電圧差を有することを意味する、ＣＶＤツール。
［形態１６］
化学蒸着（ＣＶＤ）ツールであって、
処理チャンバに設けられた基板台座を、前記処理チャンバ内のプラズマにより生成されたものと同じまたはほぼ同じ直流（ＤＣ）バイアス電圧に維持するように配置されたＤＣバイアス制御システムを備える、ＣＶＤツール。
［形態１７］
形態１６に記載のＣＶＤツールであって、
前記基板台座は、前記基板台座に基板をクランプするための逆極性の静電クランプ（ＥＳＣ）電極を備え、前記ＤＣバイアス電圧は、逆極性の前記ＥＳＣ電極に印加される、ＣＶＤツール。
［形態１８］
形態１６に記載のＣＶＤツールであって、
前記ＤＣバイアス制御システムは、前記プラズマにより生成された前記ＤＣバイアス電圧が前記処理チャンバ内で変化するに伴って前記ＤＣバイアス電圧を調節する、ＣＶＤツール。
［形態１９］
形態１６に記載のＣＶＤツールであって、
前記ＤＣバイアス制御システムは、
前記プラズマと電極との間の電流を測定するための電流測定装置と、
前記基板台座に設けられた電極にＤＣバイアスオフセットを印加するためのＥＳＣ電源であって、前記ＤＣバイアスオフセットは前記測定された電流と釣り合う、ＣＶＤツール。
［形態２０］
形態１９に記載のＣＶＤツールであって、
前記プラズマと前記電極との間の前記電流の電流路は、
（ａ）前記基板台座に支持された基板、
（ｂ）前記基板上に形成されたあらゆる薄膜、
（ｃ）前記基板台座上に設けられた電極、
（ｄ）前記基板台座に接続された電源、および
（ｅ）前記基板台座、
のうちの１つまたは複数を含む、ＣＶＤツール。
［形態２１］
形態１９に記載のＣＶＤツールであって、
前記抵抗値は、
（ａ）基板、
（ｂ）前記基板上に形成されたあらゆる薄膜、
（ｃ）前記基板台座上に設けられた電極、および
（ｄ）前記基板台座に接続された電源、
のうちの１つまたは複数の抵抗から算出される、ＣＶＤツール。
［形態２２］
形態２１に記載のＣＶＤツールであって、
ほぼ同じとは、前記プラズマにより生成された前記ＤＣバイアス電圧および前記基板台座が１０．０ボルト以下の電圧差を有することを意味する、ＣＶＤツール。
［形態２３］
形態２１に記載のＣＶＤツールであって、
ほぼ同じとは、前記プラズマにより生成された前記ＤＣバイアス電圧および前記基板台座が０．１ボルト以下の電圧差を有することを意味する、ＣＶＤツール。
【国際調査報告】
2021533273.tif 000011
2021533273.tif 000012